(57)【要約】【課題】従業員に対し給与明細情報通知時に給与明細に関連付けて優待券を一括して提供する。【解決手段】ホスト装置１２は、従業員の給与明細・優待券情報を格納する本部メッセージ情報ＤＢ７５と、従業員の給与明細・優待券情報を配信する配信手段を有する。ストアコントローラ１７は、従業員の給与明細・優待券情報を受信する受信手段と、従業員の認証情報の認証を行う認証手段と、給与明細・優待券情報を格納する本部メッセージ情報ＤＢ６５と、従業員の給与明細・優待券情報を送信する送信手段を有する。ＰＯＳ端末１５は、従業員の認証情報を入力する入力手段３０と、従業員の認証情報をストアコントローラ１７へ送信する認証情報送信手段と、従業員の給与明細・優待券情報を受信する給与明細・優待券情報受信手段と、給与明細・優待券情報を表示する表示部２８および印刷・発行するプリンタ３４とを有する。【選択図】      図１０
2008040757.tif 000002
【特許請求の範囲】
【請求項１】
商品販売データ処理装置と、この商品販売データ処理装置と通信ネットワークを介して接続される上位装置とを有する本部メッセージ情報通知システムにおいて、前記上位装置は、従業員ごとの本部メッセージ・優待券情報を格納する本部メッセージ情報データベースと、前記従業員の認証情報を受信する認証情報受信手段と、前記従業員の認証を行う認証手段と、前記本部メッセージ情報データベースから読み出された前記従業員ごとの本部メッセージ・優待券情報を配信する本部メッセージ・優待券情報配信手段と、を備え、前記商品販売データ処理装置は、前記従業員の認証情報を入力する入力手段と、前記認証情報を前記上位装置へ送信する認証情報送信手段と、前記本部メッセージ・優待券情報を受信する本部メッセージ・優待券情報受信手段と、この本部メッセージ・優待券情報受信手段により受信された前記本部メッセージ・優待券情報を表示する表示手段と、前記本部メッセージ・優待券情報を印刷・発行する印刷・発行手段とを備えることを特徴とする本部メッセージ情報通知システム。
【請求項２】
商品販売データ処理装置と、この商品販売データ処理装置と通信ネットワークを介して接続される上位装置とを有する本部メッセージ情報通知システムにおいて、前記上位装置は、従業員ごとの本部メッセージ・優待券情報を格納する本部メッセージ情報データベースと、前記本部メッセージ情報データベースから読み出された前記従業員ごとの前記本部メッセージ・優待券情報を配信する本部メッセージ・優待券情報配信手段と、を備え、前記商品販売データ処理装置は、前記本部メッセージ・優待券情報を受信する本部メッセージ・優待券情報受信手段と、この本部メッセージ・優待券情報受信手段により受信した前記本部メッセージ・優待券情報を格納する本部メッセージ・優待券情報データベースと、前記従業員の認証情報を入力する入力手段と、前記認証情報を前記商品販売データ処理装置の本部メッセージ・優待券情報データベースへ認証要求する認証要求手段と、前記従業員の本人認証を行う認証手段と、前記本部メッセージ・優待券情報を表示する表示手段と、前記本部メッセージ・優待券情報を印刷・発行する印刷・発行手段とを備えることを特徴とする本部メッセージ情報通知システム。
【請求項３】
商品販売データ処理装置と、情報処理装置と、ホスト装置とを通信ネットワークを介して接続される本部メッセージ情報通知システムにおいて、ホスト装置は、本部メッセージ・優待券情報を格納する本部メッセージ情報データベースと、この本部メッセージ情報データベースから読み出された前記従業員ごとの前記本部メッセージ・優待券情報を前記情報処理装置に配信する本部メッセージ・優待券情報配信手段と、を備え、前記情報処理装置は、前記ホスト装置から配信された従業員の前記本部メッセージ・優待券情報を受信する本部メッセージ・優待券情報受信手段と、この本部メッセージ・優待券情報受信手段により受信した前記本部メッセージ・優待券情報を格納する本部メッセージ情報データベースと、前記商品販売データ処理装置から前記従業員の認証情報を受信する認証情報受信手段と、前記従業員の認証情報を認証する認証手段と、前記本部メッセージ・優待券情報を前記商品販売データ処理装置へ送信する本部メッセージ・優待券情報送信手段と、を備え、前記商品販売データ処理装置は、前記従業員の認証情報を入力する入力手段と、前記情報処理装置から前記本部メッセージ・優待券情報を受信する本部メッセージ・優待券情報受信手段と、前記本部メッセージ・優待券情報を表示する表示手段と、前記本部メッセージ・優待券情報を印刷・発行する印刷・発行手段と、を備えたことを特徴とする本部メッセージ情報通知システム。
【請求項４】
商品販売データ処理装置と、情報処理装置と、ホスト装置とを通信ネットワークを介して接続される本部メッセージ情報通知システムにおいて、ホスト装置は、本部メッセージ・優待券情報を格納する本部メッセージ情報データベースと、この本部メッセージ情報データベースから読み出された前記従業員ごとの前記本部メッセージ・優待券情報を前記情報処理装置に配信する本部メッセージ・優待券情報配信手段とを備え、前記情報処理装置は、前記ホスト装置から配信された従業員の前記本部メッセージ・優待券情報を受信する本部メッセージ・優待券情報受信手段と、この本部メッセージ・優待券情報受信手段により受信した前記本部メッセージ・優待券情報を格納する本部メッセージ情報データベースと、この本部メッセージ情報データベースから読み出された前記従業員ごとの前記本部メッセージ・優待券情報を前記商品販売データ処理装置へ配信する本部メッセージ・優待券情報配信手段と、を備え、前記商品販売データ処理装置は、前記情報処理装置から前記本部メッセージ・優待券情報を受信する本部メッセージ・優待券情報受信手段と、この本部メッセージ・優待券情報受信手段により受信した前記本部メッセージ・優待券情報を格納する本部メッセージ・優待券情報データベースと、前記従業員の認証情報を入力する入力手段と、前記認証情報を前記商品販売データ処理装置の本部メッセージ・優待券情報データベースへ認証要求する認証要求手段と、前記従業員の認証情報を認証する認証手段と、前記本部メッセージ・優待券情報を表示する表示手段と、前記本部メッセージ・優待券情報を印刷・発行する印刷・発行手段と、を備えたことを特徴とする本部メッセージ情報通知システム。
【請求項５】
請求項１〜４のいずれかに記載の本部メッセージ情報通知システムにおいて、前記商品販売データ処理装置は、前記本部メッセージと前記優待券との間にミシン目線を形成する分離手段を有することを特徴とする本部メッセージ情報通知システム。
【請求項６】
請求項１〜５のいずれかに記載の本部メッセージ情報通知システムにおいて、前記本部メッセージとは、給与明細であることを特徴とする本部メッセージ情報通知システム。
【請求項７】
請求項１〜６のいずれかに記載の本部メッセージ情報通知システムにおいて、前記商品販売データ処理装置のコード読取手段により前記優待券のバーコードが読み取られると、読み取られた優待券情報が前記ホスト装置に送信されるとともに、本部メッセージ情報データベースに格納されることを特徴とする本部メッセージ情報通知システム。
【請求項８】
請求項１〜４のいずれかに記載の本部メッセージ情報通知システムにおいて、前記商品販売データ処理装置は、前記優待券の再発行を禁止する優待券再発行禁止手段を有することを特徴とする本部メッセージ情報通知システム。
【請求項９】
商品販売データ処理装置と、この商品販売データ処理装置と通信ネットワークを介して接続される上位装置と、を有する本部メッセージ情報通知システムを用いた本部メッセージ情報通知方法において、前記商品販売データ処理装置は、前記従業員の認証情報の入力を行うステップと、従業員の認証情報を前記上位装置に送信するステップと、前記本部メッセージ・優待券情報を受信するステップと、前記本部メッセージ・優待券情報を表示するステップと、この表示された前記本部メッセージ・優待券情報を印刷・発行するステップと、前記上位装置は、前記商品販売データ処理装置から従業員の認証情報を受信するステップと、前記従業員の認証情報を認証すると前記本部メッセージ・優待券情報を前記商品販売データ処理装置へ配信するステップと、を有することを特徴とする本部メッセージ情報通知方法。
【請求項１０】
商品販売データ処理装置と、この商品販売データ処理装置と通信ネットワークを介して接続される上位装置とを有する本部メッセージ情報通知システムを用いた本部メッセージ情報通知方法において、前記上位装置は、前記本部メッセージ・優待券情報を前記商品販売データ処理装置へ配信するステップと、前記商品販売データ処理装置は、前記従業員の認証情報を入力するステップと、前記従業員の認証情報の認証を行うステップと、前記従業員の認証情報を認証すると前記本部メッセージ・優待券情報を表示部に表示するステップと、この表示された前記本部メッセージ・優待券情報を印刷・発行するステップと、を有することを特徴とする本部メッセージ情報通知方法。
【請求項１１】
商品販売データ処理装置と、情報処理装置と、ホスト装置とを通信ネットワークを介して接続される本部メッセージ情報通知システムを用いた本部メッセージ情報通知方法において、ホスト装置は、本部メッセージ情報データベースに格納されている本部メッセージ・優待券情報を前記情報処理装置に配信するステップと、前記情報処理装置は、前記ホスト装置から配信された従業員の前記本部メッセージ・優待券情報を受信するステップと、この本部メッセージ・優待券情報を本部メッセージ情報データベースに格納するステップと、前記商品販売データ処理装置へ前記本部メッセージ・優待券情報を送信するステップと、前記従業員の認証情報を認証するステップと、前記商品販売データ処理装置は、前記従業員の認証情報を入力するステップと、前記情報処理装置から前記本部メッセージ・優待券情報を受信するステップと、前記本部メッセージ・優待券情報を表示するステップと、前記本部メッセージ・優待券情報を印刷・発行するステップと、を有することを特徴とする本部メッセージ情報通知方法。
【請求項１２】
請求項９または１０記載の本部メッセージ情報通知方法において、前記本部メッセージと前記優待券との間にミシン目線を入れるステップを有することを特徴とする本部メッセージ情報通知方法。
【発明の詳細な説明】
【技術分野】
【０００１】
本発明は、従業員に対し本部メッセージとして特に給与明細と優待券情報を本部メッセージ情報通知時に一括して通知する本部メッセージ情報通知システムおよび本部メッセージ情報通知方法に関する。
【背景技術】
【０００２】
従来、給与等の明細情報は給与管理システムによって計算された給与明細として紙に印刷されて従業員に渡されていた。また、この給与明細は、従業員個人の給与の額が記載されており、高い秘匿性を必要とするものであるために、封をすることなどにより、外側からは給与明細の内容が読取れないように工夫がなされている。
【０００３】
また、ＰＯＳシステムに関し、レシートおよびクーポン券を出力する機能を有する装置が知られている（たとえば、特許文献１参照）。
【特許文献１】特開２００３−３０７４９号公報
【発明の開示】
【発明が解決しようとする課題】
【０００４】
しかしながら、従来は、レシートおよびクーポン券を出力する機能を有するだけで、給与明細と関連付けてクーポン券である優待券を一括して発行することはできない。
【０００５】
本発明は、従業員に対し本部メッセージとして給与明細と関連付けて優待券を本部メッセージ情報通知時に一括して通知する本部メッセージ情報通知システムおよび本部メッセージ情報通知方法を提供することを目的としている。
【課題を解決するための手段】
【０００６】
本発明に係る本部メッセージ情報通知システムにおいて、上位装置は、従業員ごとの本部メッセージ・優待券情報を格納する本部メッセージ情報データベースと、前記従業員の認証情報を受信する認証情報受信手段と、前記従業員の認証情報を認証する認証手段と、前記本部メッセージ情報データベースから読み出された本部メッセージ・優待券情報を商品販売データ処理装置へ配信する本部メッセージ・優待券情報配信手段と、を備え、前記商品販売データ処理装置は、前記従業員の認証情報を入力する入力手段と、前記認証情報を前記上位装置へ送信する認証情報送信手段と、前記本部メッセージ・優待券情報を受信する本部メッセージ・優待券情報受信手段と、この本部メッセージ・優待券情報受信手段により受信された前記本部メッセージ・優待券情報を表示する表示手段と、前記本部メッセージ・優待券情報を印刷・発行する印刷・発行手段とを備えることを特徴とする。
【０００７】
本発明に係る本部メッセージ情報通知方法おいて、商品販売データ処理装置は、従業員の認証情報の入力を行うステップと、従業員の認証情報を上位装置へ送信するステップと、前記本部メッセージ・優待券情報を受信するステップと、前記本部メッセージ・優待券情報を表示するステップと、この表示された前記本部メッセージ・優待券情報を印刷・発行するステップと、上位装置は、前記商品販売データ処理装置から従業員の認証情報を受信するステップと、従業員の認証情報の認証を行うステップと、従業員の本人認証を認証すると前記本部メッセージ・優待券情報を前記商品販売データ処理装置へ送信するステップと、を有するとことを特徴とする。
【発明の効果】
【０００８】
本発明によれば、従業員ごとに本部メッセージとして給与明細と関連付けて優待券情報とを本部メッセージ情報通知時に一括して通知することにより本部メッセージ情報の通知コストを低減することができる。
【発明を実施するための最良の形態】
【０００９】
以下、本発明の一実施の形態に係る本部メッセージ情報通知システムについて図面を参照して説明する。なお、本実施の形態は、ＰＯＳ（Point of Sales：販売時点管理）システムを本部メッセージ情報通知システムに本発明を適用した場合について説明する。
【００１０】
図１は、本実施の形態に係る本部メッセージ情報通知システム１１の構成を示す模式図である。
【００１１】
図１に示すように、本部メッセージ情報通知システム１１は、たとえば、複数の店舗を有する流通チェーン本部に設けられるホストコンピュータ（以下、ホスト装置という）１２と、各店舗に設けられる店舗システム１３とを、たとえば、専用回線等の通信ネットワーク１４で接続することにより構成されている。
【００１２】
各店舗に設けられる店舗システム１３は、商品販売データ処理装置である複数台のＰＯＳ端末１５と、これらのＰＯＳ端末１５をたとえば、ＬＡＮ（Local Area Network）１６等の通信ネットワークを介して接続し集中管理する情報処理装置であるストアコントローラ１７とで構成されている。
【００１３】
ストアコントローラ１７は、通信ネットワーク1４を介してホスト装置１２と通信可能とされている。なお、図１では、１つの店舗システム１３が図示されているが、実際には複数の店舗システム１３がホスト装置１２と接続されている。
【００１４】
ここでは、ＰＯＳ端末１５に対してホスト装置１２およびストアコントローラ１７を上位装置という。
【００１５】
まず、店舗システム１３について説明する。
【００１６】
ＰＯＳ端末１５は、店舗の精算場所に配設されてキャッシャが商品等の売上処理を行うとともに、本部メッセージと関連付けて優待券を一括して従業員へ通知を行うものである。以下においては、給与明細と関連付けて優待券とを一括して取り扱う場合について説明する。
【００１７】
図２は、ＰＯＳ端末１５の制御構成を示すブロック図である。
【００１８】
図２に示すように、ＰＯＳ端末１５は、制御部本体として各部を集中的に制御するＣＰＵ(Central Processing Unit)２１、このＣＰＵ２１が実行する制御プログラム等の固定的データを予め格納されたＲＯＭ(Read Only Memory)２２、各種データを書き換え自在に格納するための種々のメモリエリアが形成されるＲＡＭ(Random Access Memory)２３、日付および時刻を計時する計時部２４、データベース等を形成するためのＨＤＤ（Hard Disk Drive）装置２５の駆動を制御するＨＤＤコントローラ２６、ＬＡＮ１６を通じてストアコントローラ１７とのデータ通信を制御する通信コントローラ２７、売上商品の品名、価格および本部メッセージ等を表示する表示部２８が接続される表示部コントローラ２９、商品登録業務等に使用する各種キーを配設したキーボード３０が接続されるキーボードコントローラ３１、バーコードを光学的に読取るコード読取手段であるスキャナ３２が接続されるスキャナコントローラ３３、本部メッセージ・レシートとしてたとえば、給与明細・優待券情報等とを一括して印刷・発行およびレシート印字等を行うプリンタ３４が接続されるプリンタコントローラ３５、「登録」、「点検」、「精算」、「設定」等の各種業務モードを選択するモードスイッチ３６の信号入力および現金等を収容するためのドロワ３７が接続されるＩ／Ｏポート３８、ミシン目線を形成する分離手段であるカッター３９が接続されるカッターコントローラ４０等が搭載されている。
【００１９】
そして、ＣＰＵ２１、ＲＯＭ２２、ＲＡＭ２３、計時部２４、ＨＤＤコントローラ２６、通信コントローラ２７、表示部コントローラ２９、キーボードコントローラ３１、スキャナコントローラ３３、プリンタコントローラ３５、Ｉ／Ｏポート３８およびカッターコントローラ４０等がアドレスバス、データバス等のバスライン４１で接続されている。
【００２０】
ＣＰＵ２１は、バスライン４１を介して接続された通信コントローラ２７からＬＡＮ１６を介してストアコントローラ１７との間で相互にオンライン通信を実行するように構成されている。
【００２１】
ＨＤＤ装置２５には、データベースとして従業員ごとの本部メッセージを格納する本部メッセージ情報データベース（以下、本部メッセージ情報ＤＢという）４２が設けられている。
【００２２】
キーボード３０には、数字データを入力するための置数キーや各商品コードを入力するコード入力キーの他、クリアキー、小計キー、1取引の登録締めを宣言する締めキー等の各種キーを配設したものである。
【００２３】
プリンタ３４には、本部メッセージとして、たとえば、給与明細・優待券情報等を一括して印刷・発行するレシートプリンタである。
【００２４】
カッター３９には、本部メッセージとして、たとえば、給与明細と優待券との間にミシン目線を形成させる分離手段である。このミシン目線により優待券を本部メッセージから容易に分離させることができる。
【００２５】
本部メッセージ情報ＤＢ４２には、従業員ごとに認証のために使用される認証情報として従業員コード、パスワード、給与明細として従業員名、従業員コード、労働時間、基本給、総支給額、優待券として優待券割引率、従業員名、バーコードおよび許可フラグ等が格納されている。認証情報として従業員コード、パスワードは、従業員が本部メッセージの所定のデータベースにアクセスするために入力し認証を行うためのものである。許可フラグは、優待券の発行回数を制限するもので、本実施の形態においては優待券を１回のみ発行するように設定されている。許可フラグがオフ（ＯＦＦ）の場合、優待券の再発行を禁止する優待券再発行禁止手段が設定されている。なお、給与明細の印刷・発行は複数回可能に設定されている。
【００２６】
本部メッセージ情報ＤＢ４２に格納される情報は、上位装置１２，１７から配信されたものである。なお、従業員が従業員カードを所持する場合、バーコードされた従業員コードをスキャナ３２で読み取って入力することもできるし、ＩＣカードリーダが付属している場合には、ＩＣカードに記録された従業員コードを読み取って入力することもできる。
【００２７】
図３は、ストアコンコントローラ１７の制御構成を示すブロック図である。
【００２８】
図３に示すように、ストアコンコントローラ１７は、各部を集中的に制御するＣＰＵ５１、このＣＰＵ５１が実行する制御プログラム等の固定的データを予め格納されたＲＯＭ５２、各種データを書き換え自在に格納するための種々のメモリエリアが形成されるＲＡＭ５３、日付および時刻を計時する計時部５４、データベース等を形成するためのＨＤＤ装置５５の駆動を制御するＨＤＤコントローラ５６、ＬＡＮ１６を通じてホスト装置１２とのデータ通信を制御する通信コントローラ５７、売上商品の品名、価格および本部メッセージ等を表示する表示部５８が接続される表示部コントローラ５９、各種キーが配設されたキーボード６０が接続されるキーボードコントローラ６１、各種データの印刷等を行うプリンタ６２が接続されるプリンタコントローラ６３等が搭載されている。
【００２９】
そして、ＣＰＵ５１、ＲＯＭ５２、ＲＡＭ５３、計時部５４、ＨＤＤコントローラ５６、通信コントローラ５７、表示部コントローラ５９、キーボードコントローラ６１、プリンタコントローラ６３等が、アドレスバス、データバス等のバスライン６４とで接続されている。
【００３０】
ＨＤＤ装置５５には、本部メッセージ情報データベース（以下、本部メッセージ情報ＤＢという）６５が設けられている。
【００３１】
本部メッセージ情報ＤＢ６５には、ホスト装置１２の本部メッセージ情報ＤＢ８５から配信されたもので、従業員ごとに認証のために使用される認証情報として従業員コード、パスワード、給与明細として従業員名、従業員コード、労働時間、基本給、総支給額、優待券として優待券割引率、従業員名、バーコード等が格納されている。認証情報として従業員コード、パスワードは、従業員が本部メッセージの所定のデータベースにアクセスするために入力し認証を行うためのものである。
【００３２】
続いて、流通チェーン本部のホスト装置１２の構成について説明する。ホスト装置１２は、一般的なコンピュータと同様の構成とされるものである。
【００３３】
図４は、ホスト装置１２の制御構成を示すブロック図である。
【００３４】
図４に示すようにホスト装置１２は、本実施の形態の本部メッセージ情報通知システム全体を制御するＣＰＵ７１と、このＣＰＵ７１を動作させる制御プログラムの固定的情報を予め格納するＲＯＭ７２と、各種情報を書き換え自在に格納するＲＡＭ７３と、日付および時刻を計時する時計部７４と、各種データの書込み及び読出しを行うＨＤＤ装置７５を制御するＨＤＤコントローラ７６と、ＬＡＮ１６を通じてストアコントローラ１７とのデータ通信を制御する通信コントローラ７７と、本部メッセージとして、たとえば、給与明細・優待券情報等を表示する表示部７８が接続される表示部コントローラ７９と、キーボード８０からのキー信号を入力するキーボードコントローラ８１と、プリンタ８２が接続されるプリンタコントローラ８３とを、備えている。
【００３５】
また、ＣＰＵ７１、ＲＯＭ７２、ＲＡＭ７３、計時部７４、ＨＤＤコントローラ７６、通信コントローラ７７、表示部コントローラ７９、キーボードコントローラ８１、プリンタコントローラ８３をアドレスバス、データバスなどのバスライン８４とで接続されている。
【００３６】
ＨＤＤ装置７５には、本部メッセージ情報データベース(以下、本部メッセージ情報ＤＢという)８５とが設けられている。
【００３７】
本部メッセージ情報ＤＢ８５には、従業員ごとに認証のために使用される認証情報、本部メッセージとして給与明細・優待券情報が格納されている。認証情報として従業員コード、パスワード、給与明細として従業員名、従業員コード、労働時間、基本給、総支給額、優待券として優待券割引率、従業員名、バーコード等が格納されている。バーコードには、従業員名、従業員コード、優待券コード優待券割引率および有効期間等が格納されている。認証情報として従業員コード、パスワードは、従業員が本部メッセージの所定のデータベースにアクセスするために入力し認証を行うためのものである。これらの本部メッセージ情報ＤＢ８５に格納されている情報は、ストアコントローラ１７およびＰＯＳ端末１５に配信される。
【００３８】
図５は、本部メッセージ・レシート９９の一例を示す。図５に示すように本部メッセージ１００には、種別１０１として本実施の形態においては、給与明細・優待券情報とからなり、給与明細１０２とミシン目線１０４を介して優待券１０３とから形成されている。
【００３９】
給与明細１０２は、給与支払月（たとえば、２月分）、従業員名（鈴木一郎様）、従業員コード、労働時間、基本給、総支給額等が印刷されている。優待券１０３は、優待券割引率１０６、従業員名およびバーコード１０５等が印刷されている。バーコード１０５には、優待券コード、従業員名、従業員コード、優待券割引率１０６、有効期間等が格納されている。また、優待券１０３は、本部メッセージ１００の給与明細１０２からミシン目線１０４から分離して利用することができる。ミシン目線１０４は、ＰＯＳ端末１５の分離手段であるカッター３９で形成さるようになっている。
【００４０】
図６に示すように優待券１０３の優待券割引率１０６は従業員ランク１０７ごとに設定されている。すなわち、従業員ランク１０７の優待券割引率１０６は、たとえば「部長」が２５％、「課長」が２０％、「係長」が１５％、「一般社員」が１０％、「アルバイト」が５％に設定されている。
【００４１】
図7に示すように優待券１０３の優待券割引率１０６は従業員の残業時間１０８ごとに設定されている。すなわち、従業員の残業時間１０８の優待券割引率１０６は、たとえば「３１Ｈ以上」が２５％、「２１〜３０Ｈ」が２０％、「１６〜２０Ｈ」が１５％、「１１〜１５Ｈ」が１０％、「１０Ｈ以下」が５％に設定されている。
【００４２】
図８に示すように優待券１０３の優待券割引率１０６は従業員の勤続年数１０９ごとに設定されている。すなわち、従業員の勤続年数１０９の優待券割引率１０６は、たとえば「３０年」が３０％、「２５年」が２５％、「２０年」が２０％、「１５年」が１５％、「１０」が１０％に設定されている。すなわち、毎年の４月給与時に永年勤続表彰として優待券１０３を支給するようになっている。
【００４３】
以上、従業員ごとの優待券１０３の優待券割引率１０６は従業員ランク１０７、残業時間１０８ごとおよび勤続年数１０９ごとに設定され、本部メッセージ１００の一例として種別１０１の給与明細・優待券情報である給与明細１０２と優待券１０３が関連付けられて一括通知されるようになっている。
【００４４】
従業員が優待券１０３を利用する場合、ＰＯＳ端末１５のコード読取手段であるスキャナ３２でバーコード１０５が読み取られる。ＰＯＳ端末１５からストアコントローラ１７を介してホスト装置１２に送信され、従業員ごとに優待券１０３の利用実績を本部メッセージ情報ＤＢ８５に格納するように構成されている。したがって、どの従業員が優待券１０３の使用率が高いか等のデータを集計することができる。また、従業員ごとの回収率等のデータを収集することが可能となり、優待券１０３が発行された効果の検証、分析を行うことが可能になる。
【００４５】
次に、本実施の形態にかかる構成の本部メッセージ情報通知システム１１が備える特長的な機能について詳細に説明する。なお、従来から行われている処理と同様の処理についてはその説明を省略する。
【００４６】
図９は、本部メッセージ情報通知方法のホスト装置１２とストアコントローラ１７との処理を示すフローチャートである。なお、本実施の形態は、本部メッセージ情報ＤＢ８５に格納されている本部メッセージ１００の一例としてたとえば、種別１０２を給与明細・優待券情報について説明する。
【００４７】
図９に示すように、ホスト装置１２のＣＰＵ７１は、ＲＯＭ７２の制御プログラムに基づきＨＤＤ装置７５の本部メッセージ情報ＤＢ８５に格納されている給与明細・優待券情報を所定の月日になると更新する（ステップＳＴ１１：給与明細・優待券情報の更新）。
【００４８】
ＣＰＵ７１は、当月の支払い分たとえば、２月分の給与明細・優待券情報は通信ネットワーク１４を介してストアコントローラ１７へ配信する（ステップＳＴ１２：給与明細・優待券情報配信手段）。
【００４９】
ストアコントローラ１７のＣＰＵ５１は、通信ネットワーク１４を介して給与明細・優待券情報を受信する（ステップＳＴ１３：給与明細・優待券情報受信手段）。
【００５０】
ストアコントローラ１７のＣＰＵ５１は、受信した種別１０１として給与明細・優待券情報を本部メッセージ情報ＤＢ６５に格納する（ステップＳＴ１４）。
【００５１】
図１０は、本部メッセージ情報通知方法におけるＰＯＳ端末１５とストアコントローラ１７との給与明細・優待券情報の処理を示すフローチャートである。
【００５２】
図１０に示すように、ＰＯＳ端末１５のＣＰＵ２１は、ＲＯＭ２２の制御プログラムに基づき次のような処理を行う。
【００５３】
従業員は、先ず、図示しない、鍵を操作してモードスイッチ３６の鍵位置を「点検」に合せる。次に、キーボード３０から所定のキーを操作すると、ＣＰＵ２１は、まず、表示部２８に図示しない本部メッセージ１００である給与明細・優待券情報通知のトップ画面を表示する（ステップＳＴ２１）。
【００５４】
給与明細・優待券情報通知のトップ画面上で、予め登録を受けた従業員の認証情報である従業員コードおよびパスワードをキーボード３０であるキー入力により入力する（ステップＳＴ２２：入力手段）。
【００５５】
ＣＰＵ２１は、従業員の認証情報を通信コントローラ２７からＬＡＮ１６を介してストアコントローラ１７へ送信する（ステップＳＴ２３：認証情報送信手段）。
【００５６】
ストアコントローラ１７のＣＰＵ５１は、ＰＯＳ端末１５からＬＡＮ１６を介して従業員の従業員コードおよびパスワードの認証情報を受信する（ステップＳＴ２４：認証情報受信手段）。
【００５７】
ＣＰＵ５１は、受信された従業員コードおよびパスワードの認証情報に基づき本部メッセージ情報ＤＢ６５を検索して認証処理を行う（ステップＳＴ２５：認証手段）。
【００５８】
本部メッセージ情報ＤＢ６５に登録されている認証情報と送信された認証情報とが一致している場合、認証が成立すると、従業員コードにより給与明細・優待券情報が特定されるのでＣＰＵ５１は、本部メッセージ情報ＤＢ６５を検索し従業員コードにのみに対応した給与明細・優待券情報が読み出される（ステップＳＴ２６）。
【００５９】
ＣＰＵ５１は、読み出された給与明細・優待券情報をＰＯＳ端末１５のへ配信する（ステップＳＴ２７：給与明細・優待券情報配信手段）。
【００６０】
ＰＯＳ端末１５のＣＰＵ２１は、従業員コードに対応した給与明細・優待券情報がＬＡＮ１６を介して受信する（ステップＳＴ２８：給与明細・優待券情報受信手段）。
【００６１】
ＣＰＵ２１は、受信された給与明細・優待券情報を本部メッセージ情報ＤＢである給与明細・優待券情報ＤＢ４２に格納する。（ステップＳＴ２９：給与明細・優待券情報格納手段）。
【００６２】
ＣＰＵ２１は、給与明細・優待券情報ＤＢ４２に格納された給与明細・優待券情報を表示部２８に図５に示す本部メッセージ・レシート９９として給与明細・優待券情報が表示される（ステップＳＴ３０：給与明細・優待券情報表示手段）。
【００６３】
ＣＰＵ２１は、本部メッセージ１００として給与明細１０２の最後の行までプリンタ３４で印刷する（ステップＳＴ３１）。
【００６４】
ＣＰＵ２１は、給与明細１０２の最後の行まで印刷された後に、本部メッセージ・レシート９９は図示しないステッピングモータにより所定のステップを移動するとカッターコントローラ４０が制御されカッター３９が駆動しミシン目線１０４を形成する（ステップＳＴ３２：分離手段）。
【００６５】
ＣＰＵ２１は、優待券１０３部分がプリンタ３４で印刷され本部メッセージ・レシート９９を発行する（ステップＳＴ３３：本部メッセージ・レシート印刷・発行手段）。
【００６６】
次に、本実施の形態の本部メッセージ情報通知システム１１が備える特長的な機能を実現する優待券１０３の処理について、ＰＯＳ端末１５のＣＰＵ２１の制御処理を示す図１１のフローチャートを参照して説明する。
【００６７】
図１１に示すように、ＰＯＳ端末１５のＣＰＵ２１は、優待券１０３に印刷されているバーコード１０５をコード読取手段であるスキャナ３２で読み取らせる（ステップＳＴ４１：コード読取手段）。
【００６８】
ＣＰＵ２１は、優待券１０３のバーコード１０５に格納されている優待券情報をＲＡＭ２３に一時格納する（ステップＳＴ４２）。
【００６９】
さらに、ＣＰＵ２１は、ＲＡＭ２３に格納された優待券情報を抽出する（ステップＳＴ４３）。
【００７０】
ステップＳＴ４４おいて優待券１０３の有効期間内であるか否かを抽出した優待券情報に基づいて判別し、有効期間内であれば（ステップＳＴ４４のＹＥＳ）、当該優待券の割引率を登録する（ステップＳＴ４５）。なお、有効期間内でない場合には（ステップＳＴ４４のＮＯ）割引処理は行われない。
【００７１】
ＣＰＵ２１は、商品登録後、キーボード３０に設けられた締めキーが操作されて締めが宣言される（ステップＳＴ４６)。
【００７２】
ＣＰＵ２１は、プリンタ３４によるレシートが印刷・発行されて会計処理を行う（ステップＳＴ４７)。
【００７３】
ＣＰＵ２１は、従業員の優待券情報をストアコントローラ１７へ送信する（ステップＳＴ４８)。
【００７４】
さらに、優待券１０３の優待券情報がストアコントローラ１７からホスト装置１２へ送信され本部メッセージ情報ＤＢ８５へ格納される。
【００７５】
図１２は、ＰＯＳ端末１５の給与明細・優待券情報の印刷・発行業務を行う動作を示すフローチャートである。
【００７６】
先ず、ＣＰＵ２１は、本部メッセージ情報ＤＢ４２の給与明細・優待券情報を発行するか否かの許可フラグを調べる（ステップＳＴ６１）。そして、給与明細・優待券情報の発行の許可フラグがオン（ＯＮ）している場合、給与明細・優待券情報の発行が許可されているので、給与明細・優待券情報が印刷・発行される（ステップＳＴ６２）。
【００７７】
これに対して、給与明細・優待券情報の発行の許可フラグがオフ（ＯＦＦ）している場合には、たとえば、すでに、給与明細・優待券情報が発行されているので、給与明細・優待券情報の発行が許可されないことにより、給与明細・優待券情報を印刷・発行しない（ステップＳＴ６３：優待券再発行禁止手段）。そして、表示部２８にエラー表示され、優待券の再発行はできませんと表示される。
【００７８】
以上の処理により、給与明細・優待券情報の再発行を禁止することで、優待券１０３を重複して不正に使用することができないようにする。
【００７９】
図１３は、本実施の形態の本部メッセージ情報通知システム１１について他の実施の形態を示すフローチャートである。
【００８０】
図１３に示すように、ストアコントローラ１７のＣＰＵ５１は、ＲＯＭ５２の制御プログラムの基づき次のような処理を行う。
【００８１】
まず、ストアコントローラ１７のＣＰＵ５１は、本部メッセージ情報ＤＢ６５から所定の月日になると図５に示すような当月の支払い分の種別１０２として給与明細・優待券情報がＬＡＮ１６を介してＰＯＳ端末１５へ配信する（ステップＳＴ７１：給与明細・優待券情報配信手段）。
【００８２】
ＰＯＳ端末１５のＣＰＵ２１は、ＲＯＭ２２の制御プログラムに基づき次のような処理を行う。
【００８３】
ＰＯＳ端末１５のＣＰＵ２１は、ストアコントローラ１７から従業員コードに対応した給与明細・優待券情報がＬＡＮ１６を介して受信する（ステップＳＴ７２：給与明細・優待券情報受信手段）。
【００８４】
ＣＰＵ２１は、受信された給与明細・優待券情報を本部メッセージ情報ＤＢである給与明細・優待券情報ＤＢ４２に格納する（ステップＳＴ７３：給与明細・優待券情報格納手段）。
【００８５】
従業員は、キーボード３０から所定のキーを操作すると、ＣＰＵ２１は、まず、表示部２８に、本部メッセージ１００として図示しない、給与明細・優待券情報通知のトップ画面を表示させる（ステップＳＴ７４）。
【００８６】
給与明細・優待券情報通知のトップ画面上で、従業員の認証情報である従業員コードおよびパスワードが入力手段であるキー入力により入力される（ステップＳＴ７５：入力手段）。
【００８７】
ＣＰＵ２１は、従業員の認証情報を給与明細・優待券情報ＤＢ４２に認証要求する（ステップＳＴ７６：認証要求手段）。
【００８８】
ＣＰＵ２１は、従業員コードおよびパスワードの認証情報に基づき給与明細・優待券情報ＤＢ４２を検索して認証処理を行う（ステップＳＴ７７：認証手段）。
【００８９】
ステップＳＴ７７−ＹＥＳの場合、ＣＰＵ２１は、従業員の認証情報が一致すると、従業員コードにより給与明細・優待券情報が特定されるので、給与明細・優待券情報ＤＢ４２を検索し従業員コードにのみに対応した給与明細・優待券情報が読み出される（ステップＳＴ７８）。
【００９０】
ステップＳＴ７７−ＮＯの場合、ＣＰＵ２１は、ステップＳＴ７５に戻り、再度、認証情報を入力させる。
【００９１】
ＣＰＵ２１は、給与明細・優待券情報ＤＢ４２に格納された給与明細・優待券情報を表示部２８に給与明細・優待券情報を表示する（ステップＳＴ７９）。
【００９２】
ＣＰＵ２１は、本部メッセージ１００の給与明細１０２の最後の行までプリンタ３４で印刷する（ステップＳＴ３１）。
【００９３】
ＣＰＵ２１は、給与明細１０２の最後の行まで印刷された後に、本部メッセージ・レシートは図示しないステッピングモータにより所定のステップを移動するとカッターコントローラ４０が制御されカッター３９が駆動しミシン目線１０４を形成する（ステップＳＴ８０：分離手段）。
【００９４】
ＣＰＵ２１は、ミシン目線１０４を形成された後に、優待券１０３部分がプリンタ３４により印刷したあとに本部メッセージ・レシート９９を発行する（ステップＳＴ３３：本部メッセージ・レシート印刷・発行手段）。
【００９５】
以上、本実施の形態では、店舗システム１３の各ＰＯＳ端末１５から従業員コードおよびパスワードの認識情報を入力することにより本部メッセージとして給与明細・優待券情報を一括して取得することができる。
【００９６】
また、優待券１０３の発行は、不正使用を防止するために１回のみの発行にし、再発行を禁止した。なお、給与明細１０２は、再発行を行うことができる。
【００９７】
従業員ごとの認識情報を用いることにより本部メッセージを不正に取得することが防げる。
【００９８】
本発明の本部メッセージは、給与明細に限定されることなく、賞与明細、給与昇給明細、社会保険料改定情報、お知らせ情報などと優待券とを組み合わせて実施されることは勿論である。
【００９９】
以上説明したように、本発明は前記実施の形態に限定されるものではなく、実施の段階ではその趣旨を逸脱しない範囲で種々に変形することが可能であるのは勿論である。
【図面の簡単な説明】
【０１００】
【図１】本発明の一実施の形態である給与明細提供システムの要部構成を示す模式図。
【図２】同実施の形態におけるＰＯＳターミナルの要部構成を示すブロック図。
【図３】同実施の形態におけるストアコントローラの要部構成を示すブロック図。
【図４】同実施の形態におけるホストコンピュータの要部構成を示すブロック図。
【図５】同実施の形態における本部メッセージ・レシートを示す図。
【図６】同実施の形態における優待券の役職ランクごとの優待券割引率を示す図。
【図７】同実施の形態における優待券の残業時間ごとの優待券割引率を示す図。
【図８】同実施の形態における優待券の勤続年数ごとの優待券割引率を示す図。
【図９】同実施の形態におけるホストコンピュータとストアコントローラとの動作を示すフローチャート。
【図１０】同実施の形態におけるストアコントローラとＰＯＳターミナルとの動作を示すフローチャート。
【図１１】同実施の形態におけるＰＯＳターミナルの優待券情報の動作を示すフローチャート。
【図１２】同実施の形態におけるＰＯＳターミナルの優待券の印刷・発行の動作を示すフローチャート。
【図１３】他の実施の形態におけるストアコントローラとＰＯＳターミナルとの動作を示すフローチャート。
【符号の説明】
【０１０１】
１１…本部メッセージ情報通知システム、１２…ホストコンピュータ（ホスト装置）、１３…店舗システム、１４…通信ネットワーク、１５…ＰＯＳ端末（商品販売データ処理装置）、１６…ＬＡＮ（通信ネットワーク）、１７…ストアコントローラ（情報処理装置）、２１、５１、７１…ＣＰＵ、２２、５２、７２…ＲＯＭ、２８…表示部、３０…入力手段（キーボード）、３４…プリンタ、３９…カッター(分離手段)、４２…本部メッセージ情報データベース（給与明細・優待券情報データベース）、６５、７５…本部メッセージ情報データベース、９９…本部メッセージ・レシート、１００…本部メッセージ、１０１…給与明細・優待券情報、１０２…給与明細、１０３…優待券、１０４…ミシン目線、１０５…バーコード、１０６…優待券割引率。
【図１】
2008040757.tif 000003
【図２】
2008040757.tif 000004
【図３】
2008040757.tif 000005
【図４】
2008040757.tif 000006
【図５】
2008040757.tif 000007
【図６】
2008040757.tif 000008
【図７】
2008040757.tif 000009
【図８】
2008040757.tif 000010
【図９】
2008040757.tif 000011
【図１０】
2008040757.tif 000012
【図１１】
2008040757.tif 000013
【図１２】
2008040757.tif 000014
【図１３】
2008040757.tif 000015